(57)【要約】      （修正有）【課題】熱中症対策で最も重要な首廻りに体を動かし頭を頻繁に振っても、簡単な構造でかつ消費電力の少ない状態で十分な風を送ることが出来るファン露出型送風装置を提供する。【解決手段】目や頭を除いた顔の首廻りを覆う形状の布或いは柔軟なプラスチック等からなる覆い布２と、覆い布２の上部に設置されたテープ３、４と、覆い布２の両端部に取り付けられた固定部材群５、６と、覆い布２の所定の位置に着脱可能に取り付けられたファン７と、ファン７に電力を供給する電源部と、でファン露出型送風装置１を構成する。【選択図】図２
0003186431.tif 000002
【実用新案登録請求の範囲】
【請求項１】
目や頭を除いた顔や首廻りを覆う形状の布或いは柔軟なプラスチック等からなる覆い布
と、前記覆い布の上部の両端に固定されたテープと、前記覆い布の下部の両端部に取り付
けられた固定部材群と、前記覆い布の所定の位置に着脱可能に取り付けられた複数のファ
ンと、前記複数のファンに電力を供給する電源部と、
を具備し、
前記頭にヘルメットや帽子を被せ、前記テープにより前記ヘルメットや帽子の適正な位
置に前記覆い布の上部を固定したのち、前記固定部材群により顔の鼻の前で前記目を覆わ
ないよう前記覆い布の下部の両端部を固定し、次に前記複数のファンに前記電源部から電
力を供給することにより前記複数のファンを回転させて前記顔や首廻りに風を送ることを
特徴とするファン露出型送風装置。
【考案の詳細な説明】
【技術分野】
【０００１】
本考案は、高温の環境下でもヘルメットや帽子に取り付けて首廻りを涼しく快適に過ご
すことが出来るファン露出型送風装置に関する。
【背景技術】
【０００２】
従来のファン露出型送風装置は、特許文献１で提示されているように空調服の背面にフ
ァンを取り付けた構造になっており、ファンに電力を供給して回転させることにより空調
服で包まれた体に風を送り冷却していた。
【０００３】
しかしながら、従来の空調服にファンを取り付けた構造では、体を静止させている状態
では体全体に風を均等に送ることが出来るが、歩いたり、作業をしたりして体を動かすと
空調服が変形し体の一部分にしか十分な風を送ることが出来なかった。特に体を動かす際
には頭がよく振られるので、熱中症対策で最も重要な首廻りに送られる風が減少し冷却効
果が薄れるという欠点があった。
【先行技術文献】
【特許文献】
【０００４】
【特許文献１】特許第４３９９７６５号
【考案の概要】
【考案が解決しようとする課題】
【０００５】
前述のような、体全体に風を送り込む空調服を用いたファン露出型送風装置では、体の
各部分に十分な風を送るために風の通路を確実に確保する複雑な構造とファンの風量を多
くする必要があり、従って空調服の製作に手間がかかりしかも消費電力が増加するという
問題点がある。
【０００６】
本考案は、以上のような従来の欠点に鑑み、熱中症対策で最も重要な首廻りに体を動か
し頭を頻繁に振っても、簡単な構造でかつ消費電力の少ない状態で十分な風を送ることが
出来るファン露出型送風装置を提供することを目的としている。
【課題を解決するための手段】
【０００７】
上記目的を達成するために、本考案は目や頭を除いた顔や首廻りを覆う形状の布或いは
柔軟なプラスチック等からなる覆い布２と、覆い布２の上部の両端に固定されたテープ３、
４と、覆い布２の下部の両端部に取り付けられた固定部材群５、６と、覆い布２の所定の
位置に着脱可能に取り付けられた複数のファン７と、複数のファン７に電力を供給する電
源部８と、でファン露出型送風装置１を構成している。
【考案の効果】
【０００８】
以上の説明から明らかなように、本考案にあっては次に列挙する効果が得られる。
頭にヘルメットや帽子２０を被せ、ファン露出型送風装置１に構成されているテープ３、
４によりヘルメットや帽子２０の適正な位置に覆い布２の上部を固定したのち、固定部材
群５、６により顔の鼻の前で目を覆わないよう覆い布２の下部の両端部を固定し、次に複
数のファン７に電源部８から電力を供給することにより複数のファン７を回転させて顔や
首廻り２１に風を送ることで、体を動かし頭を頻繁に振っても覆い布２は頭に固定されて
いるため熱中症対策で最も重要な顔や首廻り２１に簡単な構造でかつ消費電力の少ない状
態で十分な風を送ることが出来る。
【図面の簡単な説明】
【０００９】
【図１】本考案を実施するための最良の第１の形態を説明するための概略図であり、（Ａ）はファン露出型送風装置１の表側を示す正面図であり、（Ｂ）はファン露出型送風装置１の裏側を示す裏面図である。
【図２】本考案を実施するための最良の第１の形態の使用状態を説明するための概略図である。
【考案を実施するための形態】
【００１０】
本考案の実施の形態を図に基づいて説明する。
【実施例】
【００１１】
図１（Ａ）は、本考案装置の実施例を示す正面図であり、目や頭を除いた顔や首廻り２
１を覆う形状の布或いは柔軟なプラスチック等からなる覆い布２と、覆い布２の上部に設
置されたテープ３、４と、覆い布２の両端部に取り付けられた固定部材群５、６と、覆い
布２の所定の位置に着脱可能に取り付けられたファン７と、が示されている。また図示さ
れていないがファン７の位置にはファン取り付け用孔部が開けられている。
図１（Ｂ）は、本考案装置の実施例を示す裏面図であり、目や頭を除いた顔や首廻り２
１を覆う形状の布或いは柔軟なプラスチック等からなる覆い布２と、覆い布２の上部に設
置されたテープ４と、覆い布２の両端部に取り付けられた固定部材群５、６と、覆い布２
の所定の位置に着脱可能に取り付けられたファン７と、覆い布２の所定の位置に保持され
たファン７に電力を供給する電源部８と、覆い布２に電源部８を保持するためのポケット
９と、ファン７と電源部８を接続するケーブル群１０と、覆い布２にケーブル群を保持す
るケーブル保持部１１と、が示されている。
【００１２】
覆い布２は、風を通さない構造の柔軟な布、プラスチック等を材料とし、図１（Ａ）、図
１（Ｂ）に示すような上部が狭く、下部の広い外観形状とする。
テープ３、４は、覆い布２の上部の両端部にそれぞれ取り付けられ、一対でヘルメット
や帽子２０に覆い布２を固定するために、固定位置の調整が可能な紐状のテープや接着機
能を有するテープ等で形成する。
固定部材群５、６は、覆い布２の下部の両端部に取り付けられ、例えばボタン状のホッ
クの凹部を固定部材５側、凸部を固定部材６側として一対とし、これをそれぞれの両端部
に複数取り付けて複数の一対のホックとして形成し、覆い布２で顔や首廻り２１を覆う際
に顔の鼻の前で複数の一対のホック毎の凹凸を密着押圧して覆い布２の下部の両端部を固
着する。
ファン７は、図１（Ａ）、図１（Ｂ）に示されるように覆い布２の上部と下部の境界の２
か所に設けられている図示されていないファン取り付け用孔部に使用時に取りつける。使
用しない場合は取り外せるので覆い布２の洗濯時に有効である。ファン７は例えば２００
キロカロリータイプで通信販売されている低電力用の空調服専用ファンユニットＲＤ９２
７０を用いる。（空調服用は通常５００キロカロリータイプのＲＤ−９２６０が用いられ
る。）
電源部８は、例えば単三乾電池４本を直列に接続して収納しＯＮ、ＯＦＦのスイッチを
有する電池ボックスを用いる。単三乾電池の代わりに充電式単三電池を用いてもよいのは
もちろんである。
ポケット９は、覆い布２の下部中央に設け、電源部８を収納する。
ケーブル群１０は、２つのファン７同士を接続するケーブル、一方のファンから電源部
８に接続するケーブル等から構成し、例えばそれぞれのケーブル端部にコネクターを設け
着脱可能とする。
ケーブル保持部１１は、２つのファン７とポケット９の中間位置に設置され、紐、接着
機能を有するテープ、ゴムバンド等で形成し、ケーブル群１０を結束する。
【００１３】
次に図２を用いて、使用状態を説明する。
図２に示すように、頭にヘルメットや帽子２０を被せ、その上からテープ３、４により
ヘルメットや帽子２０の適正な位置に覆い布２が動かないよう固定したのち、固定部材群
５、６により顔の鼻の前で目を覆わないよう覆い布２の両端部を固定し、次にファン７に
電源部８のスイッチをＯＮにして電力を供給することによりファン７を回転させて顔や首
廻り２１に風を送る。
【００１４】
このようにして本考案装置であるファン露出型送風装置１を使用すれば、体を動かし頭
を頻繁に振っても覆い布２はヘルメットや帽子２０に固定されているため熱中症対策で最
も重要な顔や首廻り２１に十分な風を送ることが出来る。（ファン露出型送風装置１を直接
頭にテープ３、４を用いて固定しても同等の効果が得られることはもちろんである。）
また、覆い布２は空調服に比較し小型軽量で構造も簡単である。
さらに、風を供給する範囲が少ないため２００キロカロリー相当の風量で済み、市販さ
れている空調服の５００キロカロリーに比較し著しく少なくなり省電力が実現できる。
【産業上の利用可能性】
【００１５】
本考案は、低電力でも十分な冷却が行われかつ頭部の後方も完全に覆うことが出来る
ため、直射日光のあたる屋外で行われるイベントや作業に熱中症や日焼けを防ぎながら長
時間用いることが可能である。
【符号の説明】
【００１６】
１      ファン露出型送風装置
２      覆い布
３、４  テープ
５、６  固定部材群
７      ファン
８      電源部
９      ポケット
１０      ケーブル群
１１      ケーブル保持部
２０      ヘルメットや帽子
２１      顔や首廻り
【図１】
0003186431.tif 000003
【図２】
0003186431.tif 000004
【手続補正書】
【提出日】平成25年7月27日(2013.7.27)
【手続補正１】
【補正対象書類名】明細書
【補正対象項目名】全文
【補正方法】変更
【補正の内容】
【考案の詳細な説明】
【技術分野】
【０００１】
本考案は、高温の環境下でもヘルメットや帽子に取り付けて首廻りを涼しく快適に過ご
すことが出来るファン露出型送風装置に関する。
【背景技術】
【０００２】
従来のファン露出型送風装置は、特許文献１で提示されているように空調服の背面にフ
ァンを取り付けた構造になっており、ファンに電力を供給して回転させることにより空調
服で包まれた体に風を送り冷却していた。
【０００３】
しかしながら、従来の空調服にファンを取り付けた構造では、体を静止させている状態
では体全体に風を均等に送ることが出来るが、歩いたり、作業をしたりして体を動かすと
空調服が変形し体の一部分にしか十分な風を送ることが出来なかった。特に体を動かす際
には頭がよく振られるので、熱中症対策で最も重要な首廻りに送られる風が減少し冷却効
果が薄れるという欠点があった。
【先行技術文献】
【特許文献】
【０００４】
【特許文献１】特許第４３９９７６５号
【考案の概要】
【考案が解決しようとする課題】
【０００５】
前述のような、体全体に風を送り込む空調服を用いたファン露出型送風装置では、体の
各部分に十分な風を送るために風の通路を確実に確保する複雑な構造とファンの風量を多
くする必要があり、従って空調服の製作に手間がかかりしかも消費電力が増加するという
問題点がある。
【０００６】
本考案は、以上のような従来の欠点に鑑み、熱中症対策で最も重要な首廻りに体を動か
し頭を頻繁に振っても、簡単な構造でかつ消費電力の少ない状態で十分な風を送ることが
出来るファン露出型送風装置を提供することを目的としている。
【課題を解決するための手段】
【０００７】
上記目的を達成するために、本考案は目や頭を除いた顔や首廻りを覆う形状の布或いは
柔軟なプラスチック等からなる覆い布２と、覆い布２の上部の両端に固定されたテープ３
、４と、覆い布２の下部の両端部に取り付けられた固定部材群５、６と、覆い布２の所定
の位置に着脱可能に取り付けられた複数のファン７と、複数のファン７に電力を供給する
電源部８と、でファン露出型送風装置１を構成している。
【考案の効果】
【０００８】
以上の説明から明らかなように、本考案にあっては次に列挙する効果が得られる。
頭にヘルメットや帽子２０を被せ、ファン露出型送風装置１に構成されているテープ３
、４によりヘルメットや帽子２０の適正な位置に覆い布２の上部を固定したのち、固定部
材群５、６により顔の鼻の前で目を覆わないよう覆い布２の下部の両端部を固定し、次に
複数のファン７に電源部８から電力を供給することにより複数のファン７を回転させて顔
や首廻り２１に風を送ることで、体を動かし頭を頻繁に振っても覆い布２は頭に固定され
ているため熱中症対策で最も重要な顔や首廻り２１に簡単な構造でかつ消費電力の少ない
状態で十分な風を送ることが出来る。
【図面の簡単な説明】
【０００９】
【図１】本考案を実施するための最良の第１の形態を説明するための概略図であり、（Ａ）はファン露出型送風装置１の表側を示す正面図であり、（Ｂ）はファン露出型送風装置１の裏側を示す裏面図である。
【図２】本考案を実施するための最良の第１の形態の使用状態を説明するための概略図である。
【考案を実施するための形態】
【００１０】
本考案の実施の形態を図に基づいて説明する。
【実施例】
【００１１】
図１（Ａ）は、本考案装置の実施例を示す正面図であり、目や頭を除いた顔や首廻り２
１を覆う形状の布或いは柔軟なプラスチック等からなる覆い布２と、覆い布２の上部に設
置されたテープ３、４と、覆い布２の両端部に取り付けられた固定部材群５、６と、覆い
布２の所定の位置に着脱可能に取り付けられたファン７と、が示されている。また図示さ
れていないがファン７の位置にはファン取り付け用孔部が開けられている。
図１（Ｂ）は、本考案装置の実施例を示す裏面図であり、目や頭を除いた顔や首廻り２
１を覆う形状の布或いは柔軟なプラスチック等からなる覆い布２と、覆い布２の上部に設
置されたテープ４と、覆い布２の両端部に取り付けられた固定部材群５、６と、覆い布２
の所定の位置に着脱可能に取り付けられたファン７と、覆い布２の所定の位置に保持され
たファン７に電力を供給する電源部８と、覆い布２に電源部８を保持するためのポケット
９と、ファン７と電源部８を接続するケーブル群１０と、覆い布２にケーブル群を保持す
るケーブル保持部１１と、が示されている。
【００１２】
覆い布２は、風を通さない構造の柔軟な布、プラスチック等を材料とし、図１（Ａ）、
図１（Ｂ）に示すような上部が狭く、下部の広い外観形状とする。
テープ３、４は、覆い布２の上部の両端部にそれぞれ取り付けられ、一対でヘルメット
や帽子２０に覆い布２を固定するために、固定位置の調整が可能な紐状のテープや接着機
能を有するテープ等で形成する。
固定部材群５、６は、覆い布２の下部の両端部に取り付けられ、例えばボタン状のホッ
クの凹部を固定部材５側、凸部を固定部材６側として一対とし、これをそれぞれの両端部
に複数取り付けて複数の一対のホックとして形成し、覆い布２で顔や首廻り２１を覆う際
に顔の鼻の前で複数の一対のホック毎の凹凸を密着押圧して覆い布２の下部の両端部を固
着する。
ファン７は、図１（Ａ）、図１（Ｂ）に示されるように覆い布２の上部と下部の境界の
２か所に設けられている図示されていないファン取り付け用孔部に使用時に取りつける。
使用しない場合は取り外せるので覆い布２の洗濯時に有効である。ファン７は例えば２０
０キロカロリータイプで楽天市場等から通信販売されている低電力用の空調服専用ファン
ユニットＲＤ９２７０を用いる。（空調服用は通常５００キロカロリータイプのＲＤ−９
２６０が用いられる。）
電源部８は、例えば単三乾電池４本を直列に接続して収納しＯＮ、ＯＦＦのスイッチを
有する電池ボックスを用いる。単三乾電池の代わりに充電式単三電池を用いてもよいのは
もちろんである。
ポケット９は、覆い布２の下部中央に設け、電源部８を収納する。
ケーブル群１０は、２つのファン７同士を接続するケーブル、一方のファンから電源部
８に接続するケーブル等から構成し、例えばそれぞれのケーブル端部にコネクターを設け
着脱可能とする。
ケーブル保持部１１は、２つのファン７とポケット９の中間位置に設置され、紐、接着
機能を有するテープ、ゴムバンド等で形成し、ケーブル群１０を結束する。
【００１３】
次に図２を用いて、使用状態を説明する。
図２に示すように、頭にヘルメットや帽子２０を被せ、その上からテープ３、４により
ヘルメットや帽子２０の適正な位置に覆い布２が動かないよう固定したのち、固定部材群
５、６により顔の鼻の前で目を覆わないよう覆い布２の両端部を固定し、次にファン７に
電源部８のスイッチをＯＮにして電力を供給することによりファン７を回転させて顔や首
廻り２１に風を送る。
【００１４】
このようにして本考案装置であるファン露出型送風装置１を使用すれば、体を動かし頭
を頻繁に振っても覆い布２はヘルメットや帽子２０に固定されているため熱中症対策で最
も重要な顔や首廻り２１に十分な風を送ることが出来る。（ファン露出型送風装置１を直接
頭にテープ３、４を用いて固定しても同等の効果が得られることはもちろんである。）
また、覆い布２は空調服に比較し小型軽量で構造も簡単である。
さらに、風を供給する範囲が少ないため２００キロカロリー相当の風量で済み、市販さ
れている空調服の５００キロカロリーに比較し著しく少なくなり省電力が実現できる。
【産業上の利用可能性】
【００１５】
本考案は、低電力でも十分な冷却が行われかつ頭部の後方も完全に覆うことが出来るた
め、直射日光のあたる屋外で行われるイベントや作業に熱中症や日焼けを防ぎながら長時
間用いることが可能である。
【符号の説明】
【００１６】
１      ファン露出型送風装置
２      覆い布
３、４  テープ
５、６  固定部材群
７      ファン
８      電源部
９      ポケット
１０      ケーブル群
１１      ケーブル保持部
２０      ヘルメットや帽子
２１      顔や首廻り